(57)【要約】【課題】ズームレンズ（群）を望遠端近傍に移動させた時に撮像素子上で生じるフレア又はゴーストを防止する。【解決手段】少なくともズームレンズ（群）及びフォーカスレンズ（群）が前板１１ｂと後板１１ｃと底板１１ｄと天板１１ｅと左右の側板１１ｆ，１１ｇとにより略箱状に囲まれた内部でそれぞれ移動するレンズ鏡筒１１Ａにおいて、ズームレンズ（群）を望遠端近傍に移動させた時に撮像素子上で生じるフレア又はゴーストを防止するために、左右の側板１１ｆ，１１ｇを天板１１ｅ側から底板１１ｄ側に向かって両者の間隔が徐々に広がる方向に傾けたことを特徴とするレンズ鏡筒１１Ａを提供する。【選択図】図３
2008122581.tif 000002
【特許請求の範囲】
【請求項１】
被写体を撮影する前玉レンズ（群）と、広角端と望遠端との間を移動自在なズームレンズ（群）と、至近端と無限端との間を移動自在なフォーカスレンズ（群）と、被写体像を撮像する撮像素子とが光軸に沿って順に設けられ、且つ、少なくとも前記ズームレンズ（群）及び前記フォーカスレンズ（群）が前板と後板と底板と天板と左右の側板とにより略箱状に囲まれた内部でそれぞれ移動するレンズ鏡筒において、
前記ズームレンズ（群）を望遠端近傍に移動させた時に前記撮像素子上で生じるフレア又はゴーストを防止するために、前記左右の側板を前記天板側から前記底板側に向かって両者の間隔が徐々に広がる方向に傾けたことを特徴とするレンズ鏡筒。
【請求項２】
被写体を撮影する前玉レンズ（群）と、広角端と望遠端との間を移動自在なズームレンズ（群）と、至近端と無限端との間を移動自在なフォーカスレンズ（群）と、被写体像を撮像する撮像素子とが光軸に沿って順に設けられ、且つ、少なくとも前記ズームレンズ（群）及び前記フォーカスレンズ（群）が前板と後板と底板と天板と左右の側板とにより略箱状に囲まれた内部でそれぞれ移動するレンズ鏡筒において、
前記ズームレンズ（群）を望遠端近傍に移動させた時に前記撮像素子上で生じるフレア又はゴーストを防止するために、前記左右の側板を前記前板側から前記後板側に向かって両者の間隔が徐々に狭まる方向に傾けたことを特徴とするレンズ鏡筒。
【請求項３】
被写体を撮影する前玉レンズ（群）と、広角端と望遠端との間を移動自在なズームレンズ（群）と、至近端と無限端との間を移動自在なフォーカスレンズ（群）と、被写体像を撮像する撮像素子とが光軸に沿って順に設けられ、且つ、少なくとも前記ズームレンズ（群）及び前記フォーカスレンズ（群）が前板と後板と底板と天板と左右の側板とにより略箱状に囲まれた内部でそれぞれ移動するレンズ鏡筒において、
前記ズームレンズ（群）を望遠端近傍に移動させた時に前記撮像素子上で生じるフレア又はゴーストを防止するために、前記左右の側板を前記天板側から前記底板側に向かって両者の間隔が徐々に広がる方向に傾けると共に、前記前板側から前記後板側に向かって両者の間隔が徐々に狭まる方向に傾けたことを特徴とするレンズ鏡筒。
【発明の詳細な説明】
【技術分野】
【０００１】
本発明は、ビデオカメラやデジタルスチルカメラなどに適用される撮像装置を用いて太陽光や強い光のもとで被写体を撮影する際、とくに、レンズ鏡筒内に移動自在に設けたズームレンズ（群）を望遠端（テレ端）近傍に移動させた時に撮像素子上で生じるフレアまたはゴーストを防止することができるレンズ鏡筒に関するものである。
【背景技術】
【０００２】
一般的に、携帯可能なビデオカメラやデジタルスチルカメラなどでは、被写体を撮影するために複数のレンズ群や撮像素子を光軸に沿ってレンズ鏡筒内に収納した撮像装置が適用されている。
【０００３】
この種の撮像装置において、レンズ鏡筒内に移動自在に設けたズームレンズによって撮像素子上で生じるフレアまたはゴーストを防止することができるズームレンズ鏡筒がある（例えば、特許文献１参照）。
【特許文献１】特許第３８２０９７６号公報
【０００４】
図１０は従来のズームレンズ鏡筒を示した縦断面図である。
【０００５】
図１１は図１０に示した従来のズームレンズ鏡筒において、（ａ）は広角側近傍での遮光溝形状を示す拡大断面図であり、（ｂ）は望遠側近傍での遮光溝形状を示す拡大断面図である。
【０００６】
図１０に示した従来のズームレンズ鏡筒１００は、上記した特許文献１（特許第３８２０９７６号公報）に開示されているものであり、ここでは特許文献１を参照して簡略に説明する。
【０００７】
図１０に示した如く、従来のズームレンズ鏡筒１００では、レンズ鏡筒１０１が筒状に形成された前鏡筒１０２と、大径筒部１０３ａと小径筒部１０３ｂとで段付き筒状に形成された主鏡筒１０３と、主鏡筒１０３の小径部１０３ｂよりも小径に筒状に形成された後鏡筒１０４とに３分割されて、各筒１０２〜１０４が上記順に光軸Ｋの方向に沿って一体的に接続されている。
【０００８】
そして、前鏡筒１０１内に被写体を撮影する撮影レンズとなる前玉レンズ１０５が固定され、且つ、主鏡筒１０３内にズーム機能（変倍機能）を備えたズームレンズ１０６がズームレンズ枠１０７に保持されながら不図示のズームモータと連結して光軸方向に移動自在に設けられていると共に、主鏡筒１０３の後部部位に固定レンズ１０８が固定され、更に、後鏡筒１０４内に像面変動補正機能を備えたフォーカスレンズ１０９がフォーカスレンズ枠１１０に保持されながら不図示のフォーカスモータと連結して光軸方向に移動自在に設けられている共に、後鏡筒１０４の後方部位に被写体像を撮像する撮像素子１１１が取り付けられている。
【０００９】
また、主鏡筒１０３の大径筒部１０３ａの内壁面及び小径筒部１０３ｂの内壁面には、ズームレンズ１０６の移動によって撮像素子１１１上で生じるフレアまたはゴーストを防止する対策が施されている。
【００１０】
尚、一般的に、フレアとは入射光の一部がレンズ鏡筒内で反射，散乱されて撮像素子の画面中に重なって広がる現象であり、一方、ゴートスもフレアの一種であり且つ原因もフレアと同じであるものの、撮像素子の画面全体にカブリやムラが生じるフレアと異なって、強い光によって一部分がはっきりと重なる現象を言う。
【００１１】
より具体的に説明すると、主鏡筒１０３の大径筒部１０３ａの内壁面には、入射光Ｌ１の反射を防止するための第１遮光溝１０３ａ１が鋸歯状に形成されており、この第１遮光溝１０３ａ１はズームレンズ１０６を広角端（ワイド端）側に移動させた時に、入射光Ｌ１が大径筒部１０３ａの内壁面で反射された時に撮像素子１１１上で生じるフレアまたはゴーストを防止する機能を備えている。
【００１２】
また、主鏡筒１０３の小径筒部１０３ｂの内壁面には、入射光Ｌ２の反射を防止するための第２遮光溝１０３ｂ１が鋸歯状に形成されており、この第２遮光溝１０３ｂ１はズームレンズ１０６を望遠端（テレ端）側に移動させた時に、入射光Ｌ２が小径筒部１０３ｂの内壁面で反射された時に撮像素子１１１上で生じるフレアまたはゴーストを防止する機能を備えている。
【００１３】
尚、ズームレンズ１０６を広角端（ワイド端）側に移動させた時の入射光Ｌ１の入射角は光軸Ｋに対してθ１であり、一方、ズームレンズ１０６を望遠端（テレ端）側に移動させた時の入射光Ｌ２の入射角は光軸Ｋに対してθ２であり、図示からθ１＞θ２の関係である。
【００１４】
上記に伴って、図１１（ａ）に拡大して示した如く、主鏡筒１０３の大径筒部１０３ａの内壁面に鋸歯状に形成した第１遮光溝１０３ａ１は、鋸歯状歯の頂角Ｑ１＜（π／２−θ１）、鋸歯状歯の谷と谷との距離Ｐ１、鋸歯状歯の高さＨ１に設定されている。
【００１５】
一方、図１１（ｂ）に拡大して示した如く、主鏡筒１０３の小径筒部１０３ｂの内壁面に鋸歯状に形成した第２遮光溝１０３ｂ１は、鋸歯状歯の頂角Ｑ２＜（π／２−θ２）、鋸歯状歯の谷と谷との距離Ｐ２≦Ｐ１、鋸歯状歯の高さＨ２≦Ｈ１に設定されている。
【００１６】
これにより、ズームレンズ１０６を広角端（ワイド端）側又は望遠端（テレ端）側に移動させても撮像素子１１１上でフレアまたはゴーストが生じなく、レンズ鏡筒内面反射を防止しつつレンズ鏡筒外周部の形状を小さくすることができ、より小型のビデオカメラ等が可能となる旨が開示されている。
【発明の開示】
【発明が解決しようとする課題】
【００１７】
ところで、従来のズームレンズ鏡筒１００では、主鏡筒１０３の大径筒部１０３ａの内壁面に鋸歯状に形成した第１遮光溝１０３ａ１と、主鏡筒１０３の小径筒部１０３ｂの内壁面に鋸歯状に形成した第２遮光溝１０３ｂ１とにより、ズームレンズ１０６を広角端（ワイド端）側又は望遠端（テレ端）側に移動させても撮像素子１１１上でフレアまたはゴーストが生じなくなるものの、一般的には、ズームレンズ１０６を広角端（ワイド端）側に移動させた時よりもズームレンズ１０６を望遠端（テレ端）側に移動させた時の方が撮像素子１１１上でフレアまたはゴーストが生じ易くなる。
【００１８】
即ち、ズームレンズ１０６を広角端（ワイド端）側に移動させた時には、前玉レンズ１０５とズームレンズ１０６との間の距離が接近して撮像素子１１１から遠ざかるために、主鏡筒１０３内の内壁面で反射された入射光Ｌ１は撮像素子１１１上に飛び込まない。
【００１９】
一方、ズームレンズ１０６を望遠端（テレ端）側に移動させた時には、前玉レンズ１０５とズームレンズ１０６との間の距離が大きくなって撮像素子１１１に近づくために、主鏡筒１０３内の内壁面で反射された入射光Ｌ２は撮像素子１１１上に飛び込んでしまうので、撮像素子１１１上でフレアまたはゴーストが生じ易くなる。
【００２０】
従って、ズームレンズ１０６を望遠端（テレ端）側に移動させた時に対してとくに考慮すれば良いものであるから、第１遮光溝１０３ａ１と第２遮光溝１０３ｂ１とを各内壁面に形状を違えて主鏡筒１０３に形成することは、主鏡筒１０３の構造が複雑になってしまう。
【００２１】
そこで、レンズ鏡筒内に移動自在に設けたズームレンズを望遠端（テレ端）側に移動させても撮像素子上でフレアまたはゴーストが生じにくく、且つ、レンズ鏡筒内が簡単な構造形態のレンズ鏡筒が望まれている。
【課題を解決するための手段】
【００２２】
本発明は上記課題に鑑みてなされたものであり、請求項１記載の発明は、被写体を撮影する前玉レンズ（群）と、広角端と望遠端との間を移動自在なズームレンズ（群）と、至近端と無限端との間を移動自在なフォーカスレンズ（群）と、被写体像を撮像する撮像素子とが光軸に沿って順に設けられ、且つ、少なくとも前記ズームレンズ（群）及び前記フォーカスレンズ（群）が前板と後板と底板と天板と左右の側板とにより略箱状に囲まれた内部でそれぞれ移動するレンズ鏡筒において、
前記ズームレンズ（群）を望遠端近傍に移動させた時に前記撮像素子上で生じるフレア又はゴーストを防止するために、前記左右の側板を前記天板側から前記底板側に向かって両者の間隔が徐々に広がる方向に傾けたことを特徴とするレンズ鏡筒である。
【００２３】
また、請求項２記載の発明は、被写体を撮影する前玉レンズ（群）と、広角端と望遠端との間を移動自在なズームレンズ（群）と、至近端と無限端との間を移動自在なフォーカスレンズ（群）と、被写体像を撮像する撮像素子とが光軸に沿って順に設けられ、且つ、少なくとも前記ズームレンズ（群）及び前記フォーカスレンズ（群）が前板と後板と底板と天板と左右の側板とにより略箱状に囲まれた内部でそれぞれ移動するレンズ鏡筒において、
前記ズームレンズ（群）を望遠端近傍に移動させた時に前記撮像素子上で生じるフレア又はゴーストを防止するために、前記左右の側板を前記前板側から前記後板側に向かって両者の間隔が徐々に狭まる方向に傾けたことを特徴とするレンズ鏡筒である。
【００２４】
更に、請求項３記載の発明は、被写体を撮影する前玉レンズ（群）と、広角端と望遠端との間を移動自在なズームレンズ（群）と、至近端と無限端との間を移動自在なフォーカスレンズ（群）と、被写体像を撮像する撮像素子とが光軸に沿って順に設けられ、且つ、少なくとも前記ズームレンズ（群）及び前記フォーカスレンズ（群）が前板と後板と底板と天板と左右の側板とにより略箱状に囲まれた内部でそれぞれ移動するレンズ鏡筒において、
前記ズームレンズ（群）を望遠端近傍に移動させた時に前記撮像素子上で生じるフレア又はゴーストを防止するために、前記左右の側板を前記天板側から前記底板側に向かって両者の間隔が徐々に広がる方向に傾けると共に、前記前板側から前記後板側に向かって両者の間隔が徐々に狭まる方向に傾けたことを特徴とするレンズ鏡筒である。
【発明の効果】
【００２５】
請求項１記載のレンズ鏡筒によると、天板側から底板側に向かって両者の間隔が徐々に広がるように互いに左右対称にα°傾けられた左右の側板の各内壁面で下方にそれぞれ反射された各入射光は撮像素子の左右下方に向かうために、ズームレンズ群を望遠端（テレ端）近傍に移動させても撮像素子上にフレアまたはゴーストが全く生じないので、良好な被写体像を得ることができると共に、簡単な構造形態で且つ小型軽量化を図ったレンズ鏡筒を安価に提供することができ、更に、この請求項１記載のレンズ鏡筒を適用した撮像装置も画像品質の向上を図ることができると共に、撮像装置に対して小型軽量化を図ることができる。
【００２６】
また、請求項２記載のレンズ鏡筒によると、前板側から後板側に向かって両者の間隔が徐々に狭まるように互いに左右対称にβ°傾けられた左右の側板の各内壁面で大きな角度で左右にそれぞれ反射された各入射光は撮像素子の左右の外側にそれぞれ向かうために、ズームレンズ群を望遠端（テレ端）近傍に移動させても撮像素子上にフレアまたはゴーストが全く生じないので、良好な被写体像を得ることができると共に、簡単な構造形態で且つ小型軽量化を図ったレンズ鏡筒を安価に提供することができ、更に、この請求項２記載のレンズ鏡筒を適用した撮像装置も画像品質の向上を図ることができると共に、撮像装置に対して小型軽量化を図ることができる。
【００２７】
更に、請求項３記載のレンズ鏡筒によると、天板側から底板側に向かって両者の間隔が徐々に広がるように互いに左右対称にα°傾けられ、且つ、前板側から後板側に向かって両者の間隔が徐々に狭まるように互いに左右対称にβ°傾けられた左右の側板の各内壁面で下方にそれぞれ反射され且つ大きな角度で左右にそれぞれ反射された各入射光は撮像素子の左右の下方外側にそれぞれ向かうために、ズームレンズ群を望遠端（テレ端）近傍に移動させても撮像素子上にフレアまたはゴーストが全く生じないので、良好な被写体像を得ることができると共に、簡単な構造形態で且つ小型軽量化を図ったレンズ鏡筒を安価に提供することができ、更に、この請求項３記載のレンズ鏡筒を適用した撮像装置も画像品質の向上を図ることができると共に、撮像装置に対して小型軽量化を図ることができる。
【発明を実施するための最良の形態】
【００２８】
以下に本発明に係るレンズ鏡筒の一実施例について図１〜図９を参照して、実施例１，実施例２，実施例３の順に詳細に説明する。
【００２９】
本発明に係る実施例１〜実施例３のレンズ鏡筒を説明する前に、この実施例１〜実施例３のレンズ鏡筒を適用した撮像装置について図１及び図２を用いて先に説明する。
【００３０】
図１は本発明に係る実施例１〜実施例３のレンズ鏡筒を適用した撮像装置を説明するために摸式的に示した構成図、
図２は図１に示した撮像装置内でズームレンズのズーミングを説明する図である。
【００３１】
図１に示した撮像装置１０は、被写体を撮影するための不図示のビデオカメラやデジタルスチルカメラに適用されており、且つ、この撮像装置１０はビデオカメラやデジタルスチルカメラの筐体内に取り付けられている。
【００３２】
上記した撮像装置１０では、この実施例１〜実施例３のレンズ鏡筒１１（１１Ａ，１１Ｂ，１１Ｃ）が、後述するようにそれぞれ異なる形状で略箱状に一体的に形成されており、且つ、このレンズ鏡筒１１は少なくとも２つ以上に分割されているものであるが、この図１中では概念的に説明するためにレンズ鏡筒１１を分割せずに図示している。
【００３３】
上記した実施例１〜実施例３のレンズ鏡筒１１（１１Ａ，１１Ｂ，１１Ｃ）内には、前方側から後方側に向かって、被写体を撮影する撮影レンズとなる前玉レンズ（群）１２と、前玉レンズ（群）１２により撮影した被写体像をズーミング（変倍）するためのズームレンズ（群）２１をズームレンズ枠２２に取り付けて、このズームレンズ（群）２１と一体にズームレンズ枠２２を光軸Ｋに対して平行に設けた第１，第２のガイドシャフト１３，１４に沿って広角端（ワイド端）と望遠端（テレ端）との間を移動させる不図示のズームモータを備えたズームレンズ駆動部２０と、被写体像の光量を調整するためのアイリス３１を開閉させる不図示のアイリスモータを備えたアイリス駆動部３０と、固定マスターレンズ４０と、固定マスターレンズ４０と協働して被写体像のピントを調整するためのフォーカスレンズ（群）５１をフォーカスレンズ枠５２に取り付けて、このフォーカスレンズ（群）５１と一体にフォーカスレンズ枠５２を上記した第１，第２のガイドシャフト１３，１４に沿って至近端と無限端との間を移動させる不図示のフォーカスモータを備えたフォーカスレンズ駆動部５０と、被写体像の高域成分による偽似信号を防ぐための光学ローパスフィルタ６０と、光学ローパスフィルタ６０とラバー６１を介して取り付けられて、被写体像を光電変換する撮像素子６２とが光軸Ｋに沿って順に設けられており、撮像素子６２を固定する撮像素子用ホルダ６３でレンズ鏡筒１１の後方側を閉蓋している。
【００３４】
この際、前玉レンズ（群）１２及びズームレンズ（群）２１並びにフォーカスレンズ（群）５１は、１個の単レンズ又は複数個のレンズによるレンズ群のいずれであっても良い。また、第１，第２のガイドシャフト１３，１４の各端部は、レンズ鏡筒１１内の前後に固定されている。
【００３５】
また、図２に示した如く、レンズ鏡筒１１（図１）内の前方部位に固定された前玉レンズ群１２は３枚のレンズからなり正の屈折力を有し、また、広角端（ワイド端）と望遠端（テレ端）との間を移動自在なズームレンズ群２１は３枚のレンズからなり負の屈折力を有し、また、レンズ鏡筒１１（図１）内の中間部位に固定された固定マスターレンズ４０は１枚のレンズからなり正の屈折力を有し、更に、至近端と無限端との間を移動自在なフォーカスレンズ群５１は３枚のレンズからなり正の屈折力を有している。
【００３６】
そして、ズーミングは、ズームレンズ群２１及びフォーカスレンズ群５１を図２中の矢印の方向に移動させることによって行われており、ズームレンズ群２１を広角端（ワイド端）側から望遠端（テレ端）側に移動させると、フォーカスレンズ群５１は図２中のズームトラッキングカーブに従って移動する。
【００３７】
このとき、図２中のズームトラッキングカーブにおいて、曲線ＮＥＡＲは至近物体のときを表し、曲線ＩＮＦは無限遠物体のときを表している。
【００３８】
上記構成による撮像装置１０を用いて太陽光や強い光のもとで被写体を撮影した際、被写体からの入射光Ｌが前玉レンズ群２１からレンズ鏡筒１１Ａ内に入射され、この入射光Ｌはズームレンズ群２１，アイリス３１，固定マスターレンズ４０，フオーカスレンズ群５１，光学ローパスフィルタ６０を順に通って撮像素子６２上に被写体像が撮像されるものの、入射光Ｌの一部はレンズ鏡筒１１の内壁面で反射される。
【００３９】
ここで、レンズ鏡筒１１の内壁面で反射された入射光Ｌが、望遠端（テレ端）近傍に移動したズームレンズ群２１を通過するときに、このズームレンズ群２１は前玉レンズ群１２から大きく離れて撮像素子６２に近づくために、レンズ鏡筒１１の内壁面で反射された入射光Ｌにより撮像素子６２上の画面上にフレア又はゴーストが生じ易くなる。
【００４０】
そこで、実施例１〜実施例３のレンズ鏡筒１１（１１Ａ，１１Ｂ，１１Ｃ）では、ズームレンズ群２１が望遠端（テレ端）近傍に移動した時に撮像素子６２上で生じるフレア又はゴーストを防止するために以下に説明する実施例１〜実施例３の構造形態のうちのいずれか一つを採用している。
【実施例１】
【００４１】
図３は実施例１のレンズ鏡筒を説明するための図であり、（ａ）は斜視図、（ｂ）はＸ−Ｘ断面図（その１）、（ｃ）はＸ−Ｘ断面図（その２）、
図４は実施例１に対する比較例のレンズ鏡筒において、左右の側板を仮に垂設した場合を説明するための図であり、（ａ）は一部破断して示した破断斜視図、（ｂ），（ｃ）は入射光が仮に垂設した側板で反射される状態を摸式的に示した図、（ｄ）は撮像素子上のゴースト光を摸式的に示した図、
図５は実施例１のレンズ鏡筒において、左右の側板を天板側から底板側に向かって両者の間隔が広がる方向にそれぞれα°傾けた場合を説明するための図であり、（ａ）は一部破断して示した破断斜視図、（ｂ），（ｃ）は入射光がα°傾けた側板で反射される状態を摸式的に示した図、（ｄ）は撮像素子上から移動したゴースト光を摸式的に示した図である。
【００４２】
図３（ａ）に示した如く、実施例１のレンズ鏡筒１１Ａは、黒色の樹脂材を用いて樹脂成形加工により成形されており、前玉レンズ群２１（図１）を固定するために丸孔１１ａ１を貫通して穿設して被写体側に円筒状に突出した前面円筒１１ａと、この前面円筒１１ａと連接した前板１１ｂと、この前板１１ｂに対して奥行き方向に間隔を隔てて対向した後板１１ｃと、底板１１ｄと、この底板１１ｄに対して高さ方向に間隔を隔てて対向した天板１１ｅと、左側板１１ｆと、この左側板１１ｆに対して幅方向に間隔を隔てて対向した右側板１１ｇとによって内部が囲まれて略箱状に一体的に形成されている。
【００４３】
従って、略箱状に形成されたレンズ鏡筒１１Ａ内には、少なくともズームレンズ群２１（図１）及びフォーカスレンズ群５１（図１）がそれぞれ移動自在なっている。
【００４４】
この際、実施例１のレンズ鏡筒１１Ａは、前面円筒１１ａの中心と略一致する光軸Ｋが高さ方向の略中心位置及び幅方向の略中心位置に設定されて、この光軸Ｋ上に沿って撮像素子６２（図１）を臨ませるための矩形孔１１ｃ１が後板１１ｃに貫通して穿設されており、且つ、不図示のズームモータやアイリスモータやフォーカスモータを収納するために、互いに対向する底板１１ｄと天板１１ｅとの間の間隔が広く設定されているので、底板１１ｄ及び天板１１ｅはそれぞれ光軸Ｋから離れている。
【００４５】
また、実施例１のレンズ鏡筒１１Ａに対して小型軽量化を図るために、左側板１１ｆと右側板１１ｇとの間の間隔が狭く設定されているので、左側板１１ｆ及び右側板１１ｇはそれぞれ光軸Ｋに接近している。
【００４６】
更に、図３（ｂ），（ｃ）に示したように、左側板１１ｆ及び右側板１１ｇは、それぞれの内壁面に反射防止用の鋸歯状溝１１ｆ１，１１ｇ１が奥行き方向に向かって鋸歯状に形成されている。尚、左側板１１ｆ及び右側板１１ｇの各内壁面に反射防止用の鋸歯状溝１１ｆ１，１１ｇ１を形成することなく、これに代えて左側板１１ｆ及び右側板１１ｇの各内壁面に反射防止用の梨地加工などを施しても良い。
【００４７】
ここで、入射光Ｌ（図１）が前玉レンズ群２１（図１）からレンズ鏡筒１１Ａ内に入射した際に、前述したように、入射光Ｌの一部はレンズ鏡筒１１Ａ内で反射されるものの、光軸Ｋから離れている底板１１ｄの内壁面及び天板１１ｅの内壁面からの入射光Ｌの反射は撮像素子６２（図１）に飛び込まないので影響されないが、光軸Ｋに接近している左側板１１ｆの内壁面及び右側板１１ｇの内壁面からの入射光Ｌの反射は撮像素子６２（図１）上で影響されてしまう。
【００４８】
とくに、前述したように、ズームレンズ群２１が望遠端（テレ端）近傍に移動すると、撮像素子６２（図１）の画面上にフレアまたはゴーストが顕著に生じるので、みにくい画像になってしまう。
【００４９】
そこで、実施例１のレンズ鏡筒１１Ａでは、左側板１１ｆと右側板１１ｇとを天板１１ｅ側から底板１１ｄ側に向かって両者１１ｆ，１１ｇの間隔が徐々に広がる方向に傾けており、このときに左側板１１ｆ及び右側板１１ｇの各傾斜は左右対称に垂線に対してα°
程度傾けている。この際、入射光Ｌ（図１）はばらつくので、上記した角度α°は２°〜１５°の範囲で角度が大きい方がフレアまたはゴーストに対して効果が大きいものの、角度α°が大きいと幅寸法が大きくなり小型軽量化を図る目的に反するので、実用上で角度α°は５°前後が望ましい。
【００５０】
従って、天板１１ｅの幅寸法Ｗ１よりも底板１１ｄの幅寸法Ｗ２の方が幅広くなり、上記に伴って、前板１１ｂ及び後板１１ｃは底辺の幅寸法Ｗ２，上辺の幅寸法Ｗ１＜Ｗ２，高さ寸法Ｈの台形となるので、左側板１１ｆと右側板１１ｇとが天板１１ｅ及び底板１１ｄの各左右に沿いながら天板１１ｅ側から底板１１ｄ側に向かって「ハ字状」に対向している。
【００５１】
従って、前面円筒１１ａ，前板１１ｂ，後板１１ｃ，底板１１ｄ，天板１１ｅ，左側板１１ｆ，右側板１１ｇを接合した状態でレンズ鏡筒１１Ａは、底板１１ｄ側を基台として天板１１ｅ側に向かって略台形箱状になる。
【００５２】
この際、実施例１のレンズ鏡筒１１Ａは、高さ寸法Ｈが例えば３６ｍｍ程度に設定され、奥行き寸法Ｄが例えば５８ｍｍ程度に設定され、天板１１ｅの幅寸法Ｗ１は例えば２０ｍｍ前後に設定され、底板１１ｄの幅寸法Ｗ２はＷ１＋２Ｈ×ｔａｎαに設定されている。
【００５３】
そして、実施例１のレンズ鏡筒１１Ａを樹脂成形加工する場合には、図３（ｂ）に示したように、底板１１ｄを切り離して２分割形成するか、又は、図３（ｃ）に示したように、右側板１１ｇ(又は左側板１１ｆ)を切り離して２分割形成するかのいずれか一方を適用しており、２分割した後に実施例１のレンズ鏡筒１１Ａを一体的に略台形箱状に組み立てている。
【００５４】
ここで、実施例１に対する比較例のレンズ鏡筒１１Ｒと、実施例１のレンズ鏡筒１１Ａとに対して、ズームレンズ群２１が望遠端（テレ端）近傍に移動したときに、撮像素子６２上でのゴースト光Ｇの発生について図４（ａ）〜（ｄ）及び図５（ａ）〜（ｄ）を用いて比較検討する。
【００５５】
まず、図４（ａ）〜（ｃ）に示したように、実施例１に対する比較例のレンズ鏡筒１１Ｒは、左右の側板１１ｆ,１１ｇを仮に垂設した例である。尚、図４中では右側板１１ｇの図示を省略している。
【００５６】
この比較例のレンズ鏡筒１１Ｒでは、強い光の一例として水平線上の太陽光による入射光Ｌがレンズ鏡筒１１Ｒ内に入射したときに、この入射光Ｌの一部は垂設された左側板１１ｆの内壁面上において撮像素子６２よりも前方に距離ｘだけ離れた反射点Ｐで反射された後に、望遠端（テレ端）近傍に移動したズームレンズ群２１を通過し、更に、反射点Ｐで反射された入射光Ｌが縦寸法１．８３ｍｍ×横寸法２．４５ｍｍに形成された撮像素子６２上に撮像されてしまう。
【００５７】
具体的には、比較例のレンズ鏡筒１１Ｒ中で垂設された左右の側板１１ｆ，１１ｇの各内壁面でそれぞれ反射された各入射光Ｌは、図４（ｄ）に示したように、撮像素子６２の左右の側面６２ａ，６２ｂ側にゴースト光Ｇとして撮像されるために、撮像素子６２上に撮像された被写体像は大変見苦しい状態になる。
【００５８】
一方、図５（ａ）〜（ｃ）に示したように、実施例１のレンズ鏡筒１１Ａは、左右の側板１１ｆ,１１ｇを天板１１ｅ側から底板１１ｄ側に向かって両者の間隔が徐々に広がる方向にそれぞれα°傾けた例である。尚、図５中では右側板１１ｇの図示を省略している。
【００５９】
この実施例１のレンズ鏡筒１１Ａでは、強い光の一例として水平線上の太陽光による入射光Ｌがレンズ鏡筒１１Ａ内に入射したときに、この入射光Ｌの一部はα°傾けられた左側板１１ｆの内壁面上おいて撮像素子６２よりも前方に距離ｘだけ離れた反射点Ｐで２α°の角度で下方に向かって反射された後に、望遠端（テレ端）近傍に移動したズームレンズ群２１を通過するものの、この後、反射点Ｐで下方に向かって反射された入射光Ｌは縦寸法１．８３ｍｍ×横寸法２．４５ｍｍの撮像素子６２上に撮像されることはない。
【００６０】
具体的には、実施例１のレンズ鏡筒１１Ａ中で天板１１ｅ側から底板１１ｄ側に向かって両者の間隔が徐々に広がるように互いに左右対称にα°傾けられた左右の側板１１ｆ，１１ｇの各内壁面で下方にそれぞれ反射された各入射光Ｌは撮像素子６２の左右下方に向かうために、図５（ｄ）に示したように、撮像素子６２の左右の側面６２ａ，６２ｂ側で底面６２ｃの下方にゴースト光Ｇが移動するので、撮像素子６２上にゴースト光Ｇのない良好な被写体像が得られる。
【００６１】
これにより、実施例１のレンズ鏡筒１１Ａは、小型軽量化を図った上で左右の側板１１ｆ，１１ｇを天板１１ｅ側から底板１１ｄ側に向かって互いに左右対称にα°傾けて「ハ字状」に対向させるだけの構造形態で、ズームレンズ群２１を望遠端（テレ端）近傍に移動させても撮像素子６２上にフレアまたはゴーストが全く生じないので、良好な被写体像を得ることができると共に、簡単な構造形態で且つ小型軽量化を図ったレンズ鏡筒１１Ａを安価に提供することができ、更に、この実施例１のレンズ鏡筒１１Ａを適用した撮像装置１０（図１）も画像品質の向上を図ることができると共に、撮像装置１０（図１）に対して小型軽量化を図ることができる。
【実施例２】
【００６２】
図６は実施例２のレンズ鏡筒を説明するための図であり、（ａ）は斜視図、（ｂ）はＹ−Ｙ断面図、
図７は実施例２に対する比較例のレンズ鏡筒において、左右の側板を仮に垂設した場合を説明するための図であり、（ａ）は入射光が仮に垂設した側板で反射される状態を摸式的に示したＹ−Ｙ断面図、（ｂ）は撮像素子上のゴースト光を摸式的に示した図、
図８は実施例２のレンズ鏡筒において、左右の側板を前板側から後板側に向かって両者の間隔が狭まる方向にそれぞれβ°傾けた場合を説明するための図であり、（ａ）は入射光がβ°傾けた側板で反射される状態を摸式的に示したＹ−Ｙ断面図、（ｄ）は撮像素子上から移動したゴースト光を摸式的に示した図である。
【００６３】
図６に示した実施例２のレンズ鏡筒１１Ｂは、先に図３を用いて説明した実施例１のレンズ鏡筒１１Ａの構成と略同様な構成であるものの、実施例１に対して左右の側板の傾斜方向が異なるものであり、ここでは説明の便宜上、先に示した構成部材に対しては同一の符号を付し、且つ、実施例１に対して異なる点を中心にして説明する。
【００６４】
図６（ａ），（ｂ）に示した如く、実施例２のレンズ鏡筒１１Ｂも、実施例１と同様に、前玉レンズ群１２を固定するための丸孔１１ａ１を形成した前面円筒１１ａと、前板１１ｂと、撮像素子６２（図１）を臨ませるための矩形孔１１ｃ１を貫通して穿設した後板１１ｃと、底板１１ｄと、天板１１ｅと、反射防止用の鋸歯状溝１１ｆ１を内壁面に形成した左側板１１ｆと、反射防止用の鋸歯状溝１１ｇ１を内壁面に形成した右側板１１ｇとによって内部が囲まれて略箱状に一体的に形成されて、この内部に少なくともズームレンズ群２１（図１）及びフォーカスレンズ群５１（図１）がそれぞれ移動自在なっているものの、実施例１に対して左右の側板１１ｆ，１１ｇの傾斜方向が異なっている。
【００６５】
即ち、実施例２のレンズ鏡筒１１Ｂでは、左側板１１ｆと右側板１１ｇとを前板１１ｂ側から後板１１ｃ側に向かって両者１１ｆ，１１ｇの間隔が徐々に狭まる方向に傾けており、このときに左側板１１ｆ及び右側板１１ｇの各傾斜は左右対称に水平線に対してβ°
程度傾けている。この際、上記した角度β°は入射光Ｌの入射角を大きくシフトさせる効果があり、シフト量は２°〜１５°の範囲で角度が大きい方がフレアまたはゴーストに対して効果が大きいものの、実用上で角度β°は３°前後が望ましい。
【００６６】
従って、前板１１ｂの幅寸法Ｗ１よりも後板１１ｃの幅寸法Ｗ３の方が幅狭くなり、且つ、上記に伴って、底板１１ｄ及び天板１１ｅは底辺の幅寸法Ｗ１，上辺の幅寸法Ｗ３＜Ｗ１、奥行き寸法Ｄの台形となるので、左側板１１ｆと右側板１１ｇとが天板１１ｅ及び底板１１ｄの各左右に沿いながら前板１１ｂ側から後板１１ｃ側に向かって「ハ字状」に対向している。
【００６７】
従って、前面円筒１１ａ，前板１１ｂ，後板１１ｃ，底板１１ｄ，天板１１ｅ，左側板１１ｆ，右側板１１ｇを接合した状態でレンズ鏡筒１１Ｂは、前板１１ｂ側を基台として後板１１ｃ側に向かって略台形箱状になる。
【００６８】
この際、実施例２のレンズ鏡筒１１Ｂは、高さ寸法Ｈが例えば３６ｍｍ程度に設定され、奥行き寸法Ｄが例えば５８ｍｍ程度に設定され、前板１１ｂの幅寸法Ｗ１は例えば２０ｍｍ前後に設定され、後板１１ｃの幅寸法Ｗ３はＷ１−２Ｄ×ｔａｎβに設定されている。
【００６９】
ここで、実施例２に対する比較例のレンズ鏡筒１１Ｒと、実施例２のレンズ鏡筒１１Ｂとに対して、ズームレンズ群２１が望遠端（テレ端）近傍に移動したときに、撮像素子６２上でのゴースト光Ｇの発生について図７（ａ），（ｂ）及び図８（ａ），（ｂ）を用いて比較検討する。
【００７０】
まず、図７（ａ）に示したように、実施例２に対する比較例のレンズ鏡筒１１Ｒは、左右の側板１１ｆ,１１ｇを仮に垂設した例である。
【００７１】
この比較例のレンズ鏡筒１１Ｒでは、先に実施例１に対する比較例で説明したと同様に、強い光の入射光Ｌがレンズ鏡筒１１Ｒ内に入射したときに、この入射光Ｌの一部は垂設された左側板１１ｆの内壁面上において撮像素子６２よりも前方に距離ｘだけ離れた反射点Ｐで右側板１１ｇ側に向かう小さな角度で反射された後に、望遠端（テレ端）近傍に移動したズームレンズ群２１を通過し、更に、反射点Ｐで反射された入射光Ｌが縦寸法１．８３ｍｍ×横寸法２．４５ｍｍに形成された撮像素子６２上に撮像されてしまう。
【００７２】
具体的には、比較例のレンズ鏡筒１１Ｒ中で垂設された左右の側板１１ｆ，１１ｇの各内壁面でそれぞれ反射された各入射光Ｌは、図７（ｂ）に示したように、撮像素子６２の左右の側面６２ａ，６２ｂ側にゴースト光Ｇとして撮像されるために、撮像素子６２上に撮像された被写体像は大変見苦しい状態になる。
【００７３】
一方、図８（ａ）に示したように、実施例２のレンズ鏡筒１１Ｂは、左右の側板１１ｆ,１１ｇを前板１１ｂ側から後板１１ｃ側に向かって両者の間隔が徐々に狭まる方向にそれぞれβ°傾けた例である。
【００７４】
この実施例２のレンズ鏡筒１１Ｂでは、強い光の入射光Ｌがレンズ鏡筒１１Ｂ内に入射したときに、この入射光Ｌの一部はβ°傾けられた左側板１１ｆの内壁面上おいて撮像素子６２よりも前方に距離ｘだけ離れた反射点Ｐで右側板１１ｇ側に向かう大きな角度で反射された後に、望遠端（テレ端）近傍に移動したズームレンズ群２１を通過するものの、この後、反射点Ｐで反射された入射光Ｌは縦寸法１．８３ｍｍ×横寸法２．４５ｍｍの撮像素子６２上に撮像されることはない。
【００７５】
具体的には、実施例２のレンズ鏡筒１１Ｂ中で前板１１ｂ側から後板１１ｃ側に向かって両者の間隔が徐々に狭まるように互いに左右対称にβ°傾けられた左右の側板１１ｆ，１１ｇの各内壁面で大きな角度で左右にそれぞれ反射された各入射光Ｌは撮像素子６２の左右の外側に向かうために、図８（ｂ）に示したように、撮像素子６２の左右の側面６２ａ，６２ｂよりそれぞれ外側にゴースト光Ｇが移動するので、撮像素子６２上にゴースト光Ｇのない良好な被写体像が得られる。
【００７６】
これにより、実施例２のレンズ鏡筒１１Ａは、小型軽量化を図った上で左右の側板１１ｆ，１１ｇを前板１１ｂ側から後板１１ｃ側に向かって互いに左右対称にβ°傾けて「ハ字状」に対向させるだけの構造形態で、ズームレンズ群２１を望遠端（テレ端）近傍に移動させても撮像素子６２上にフレアまたはゴーストが全く生じないので、良好な被写体像を得ることができると共に、簡単な構造形態で且つ小型軽量化を図ったレンズ鏡筒１１Ｂを安価に提供することができ、更に、この実施例２のレンズ鏡筒１１Ｂを適用した撮像装置１０（図１）も画像品質の向上を図ることができると共に、撮像装置１０（図１）に対して小型軽量化を図ることができる。
【実施例３】
【００７７】
図９は実施例３のレンズ鏡筒を説明するための図であり、（ａ）は斜視図、（ｂ）はＸ−Ｘ断面図、（ｃ）はＹ−Ｙ断面図である。
【００７８】
図９に示した実施例３のレンズ鏡筒１１Ｃは、先に説明した実施例１のレンズ鏡筒１１Ａと、先に説明した実施例２のレンズ鏡筒１１Ｂとを組み合わせて構成したものであり、ここでは説明の便宜上、先に示した構成部材に対しては同一の符号を付し、且つ、実施例１，２に対して異なる点を中心にして説明する。
【００７９】
図９（ａ）〜（ｃ）に示した如く、実施例３のレンズ鏡筒１１Ｃでは、実施例１と同様に、左側板１１ｆと右側板１１ｇとを天板１１ｅ側から底板１１ｄ側に向かって両者１１ｆ，１１ｇの間隔が徐々に広がる方向に傾けて左右対称にα°傾けると共に、実施例２と同様に、左側板１１ｆと右側板１１ｇとを前板１１ｂ側から後板１１ｃ側に向かって両者１１ｆ，１１ｇの間隔が徐々に狭まる方向に傾けて左右対称にβ°傾けている。
【００８０】
従って、実施例３のレンズ鏡筒１１Ｃによれば、実施例１の効果と実施例２の効果とを合わせ持った効果が得られることになり、天板１１ｅ側から底板１１ｄ側に向かって両者の間隔が徐々に広がるように互いに左右対称にα°傾けられ、且つ、前板１１ｂ側から後板１１ｃ側に向かって両者の間隔が徐々に狭まるように互いに左右対称にβ°傾けられた左右の側板１１ｆ，１１ｇの各内壁面で下方にそれぞれ反射され且つ大きな角度で左右にそれぞれ反射された各入射光Ｌは撮像素子６２の左右下方の外側にそれぞれ向かうために、ズームレンズ群２１を望遠端（テレ端）近傍に移動させても撮像素子６２上にフレアまたはゴーストが全く生じないので、良好な被写体像を得ることができると共に、簡単な構造形態で且つ小型軽量化を図ったレンズ鏡筒１１Ｃを安価に提供することができ、更に、この実施例３のレンズ鏡筒１１Ｃを適用した撮像装置１０（図１）も画像品質の向上を図ることができると共に、撮像装置１０（図１）に対して小型軽量化を図ることができる。
【図面の簡単な説明】
【００８１】
【図１】本発明に係る実施例１〜実施例３のレンズ鏡筒を適用した撮像装置を説明するために摸式的に示した構成図である。
【図２】図１に示した撮像装置内でズームレンズのズーミングを説明する図である。
【図３】実施例１のレンズ鏡筒を説明するための図であり、（ａ）は斜視図、（ｂ）はＸ−Ｘ断面図（その１）、（ｃ）はＸ−Ｘ断面図（その２）である。
【図４】実施例１に対する比較例のレンズ鏡筒において、左右の側板を仮に垂設した場合を説明するための図であり、（ａ）は一部破断して示した破断斜視図、（ｂ），（ｃ）は入射光が仮に垂設した側板で反射される状態を摸式的に示した図、（ｄ）は撮像素子上のゴースト光を摸式的に示した図である。
【図５】実施例１のレンズ鏡筒において、左右の側板を天板側から底板側に向かって両者の間隔が広がる方向にそれぞれα°傾けた場合を説明するための図であり、（ａ）は一部破断して示した破断斜視図、（ｂ），（ｃ）は入射光がα°傾けた側板で反射される状態を摸式的に示した図、（ｄ）は撮像素子上から移動したゴースト光を摸式的に示した図である。
【図６】実施例２のレンズ鏡筒を説明するための図であり、（ａ）は斜視図、（ｂ）はＹ−Ｙ断面図である。
【図７】実施例２に対する比較例のレンズ鏡筒において、左右の側板を仮に垂設した場合を説明するための図であり、（ａ）は入射光が仮に垂設した側板で反射される状態を摸式的に示したＹ−Ｙ断面図、（ｂ）は撮像素子上のゴースト光を摸式的に示した図である。
【図８】実施例２のレンズ鏡筒において、左右の側板を前板側から後板側に向かって両者の間隔が狭まる方向にそれぞれβ°傾けた場合を説明するための図であり、（ａ）は入射光がβ°傾けた側板で反射される状態を摸式的に示したＹ−Ｙ断面図、（ｄ）は撮像素子上から移動したゴースト光を摸式的に示した図である。
【図９】実施例３のレンズ鏡筒を説明するための図であり、（ａ）は斜視図、（ｂ）はＸ−Ｘ断面図、（ｃ）はＹ−Ｙ断面図である。
【図１０】従来のズームレンズ鏡筒を示した縦断面図である。
【図１１】図１０に示した従来のズームレンズ鏡筒において、（ａ）は広角側近傍での遮光溝形状を示す拡大断面図であり、（ｂ）は望遠側近傍での遮光溝形状を示す拡大断面図である。
【符号の説明】
【００８２】
１０…撮像装置、
１１Ａ…実施例１のレンズ鏡筒、
１１Ｂ…実施例２のレンズ鏡筒、
１１Ｃ…実施例３のレンズ鏡筒、
１１Ｒ…実施例１，２に対する比較例のレンズ鏡筒、
１１ａ…前面円筒、１１ａ１…丸孔、１１ｂ…前板、１１ｃ…後板、１１ｃ１…矩形孔、
１１ｄ…底板、１１ｅ…天板、
１１ｆ…左側板、１１ｆ１…鋸歯状溝、１１ｇ…左側板、１１ｇ１…鋸歯状溝、
１２…前玉レンズ群、１２，１３…第１，第２のガイドシャフト、
２０…ズームレンズ駆動部、２１…ズームレンズ群、２２…ズームレンズ枠、
３０…アイリス駆動部、３１…アイリス、４０…固定マスターレンズ、
５０…フォーカスレンズ駆動部、５１…フォーカスレンズ群、
５２…フォーカスレンズ枠、６０…光学ローパスフィルタ、６１…ラバー、
６２…撮像素子、６３…撮像素子用ホルダ、
Ｌ…入射光、Ｐ…反射点。
【図１】
2008122581.tif 000003
【図２】
2008122581.tif 000004
【図３】
2008122581.tif 000005
【図４】
2008122581.tif 000006
【図５】
2008122581.tif 000007
【図６】
2008122581.tif 000008
【図７】
2008122581.tif 000009
【図８】
2008122581.tif 000010
【図９】
2008122581.tif 000011
【図１０】
2008122581.tif 000012
【図１１】
2008122581.tif 000013